(57)【要約】      （修正有）【課題】確実に袋体を１枚ずつ切断可能な袋体取出ケースを提供する。【解決手段】ミシン目を介して連続する袋体を巻回してなるロール状体を収容するケース本体１と、ケース本体１に設けられた開口部２と、開口部２を覆うようにケース本体１に取り付けられ、ロール状体を取出し可能に保持する保持部材３と、保持部材３をケース本体との間で挟み込んで固定する固定部材５とを備え、保持部材３は、シート状のゴム状弾性体からなり、保持部材３に、ロール状体を取り出す取出孔４と、取出孔４を囲むように複数の貫通孔８とが形成され、保持部材３と接触するケース本体１部分及び固定部材５のうち少なくとも一方に、貫通孔８に挿通されて保持部材３をケース本体１に対して位置決めする複数の突起部９が形成された構成とする。【選択図】図７
0003214905.tif 000002
【実用新案登録請求の範囲】
【請求項１】
ミシン目を介して連続する袋体を巻回してなるロール状体を収容するケース本体と、前記ケース本体に設けられた開口部と、前記開口部を覆うように前記ケース本体に取り付けられ、前記ロール状体を取出し可能に保持する保持部材と、前記保持部材を前記ケース本体との間で挟み込んで固定する固定部材とを備え、前記保持部材は、シート状のゴム状弾性体からなり、前記保持部材に、ロール状体を取り出す取出孔と、前記取出孔を囲むように複数の貫通孔とが形成され、前記保持部材と接触するケース本体部分及び固定部材のうち少なくとも一方に、前記貫通孔に挿通されて前記保持部材をケース本体に対して位置決めする複数の突起部が形成されたことを特徴とする袋体取出ケース。
【請求項２】
前記開口部が前記ケース本体の頂部に形成され、前記固定部材は、前記ケース本体の頂部内面との間で前記保持部材を挟み込むように配置され、前記ロール状体は、ロール外周端から前記取出孔に導入され、前記固定部材は、前記保持部材を押圧する押圧部と、前記押圧部の下側に設けられ、前記ロール状体が前記取出孔に導入される際の導入角度が取出孔の軸方向から一定角度内になるように案内する案内部とを有することを特徴とする請求項１に記載の袋体取出ケース。
【請求項３】
前記押圧部は、円環状に形成され、前記案内部は、前記押圧部の内周縁から下方に突出形成された筒状部であることを特徴とする請求項１又は２に記載の袋体取出ケース。
【請求項４】
前記ケース本体の一部が透明であることを特徴とする請求項１〜３のいずれか一項に記載の袋体取出ケース。
【請求項５】
前記保持部材は、シリコーンゴムからなることを特徴とする請求項１〜４のいずれか一項に記載の袋体取出ケース。
【考案の詳細な説明】
【技術分野】
【０００１】
本考案は、スーパーマーケット等の食料品店などでよく見受けられる袋体を取り出す袋体取出ケースに関する。
【背景技術】
【０００２】
一般的に、スーパーマーケット等のレジカウンターや袋詰め作業台には、特許文献１に開示されているように、ミシン目を介して連続する袋体をロール状に巻回したロール状連続袋から袋体を１枚ずつ取り出す装置が設置されている。
【０００３】
上記装置においては、線材を折曲して凸部を形成した袋切離部材が取付けられており、引き出した袋体の切断用ミシン目が袋切離部材に引っかかって１枚の袋を切り取ることができる。
【０００４】
しかしながら、上記構成の装置では、袋体の切断用ミシン目がうまく袋接離部材に引っかからず、袋体が連続して引き出されるといった問題が生じていた。特に、片手で袋体を引き出す場合、袋体が弛んだ状態では袋体の切断用ミシン目がうまく袋切離部材に引っかからない場合が多く、両手で袋にテンションをかけながら、袋体の切断用ミシン目に袋切離部材を引っかける必要があった。
【０００５】
他方、ミシン目を介して連続するシートをロール状に巻回したロール状体を取り出す容器として、ウェットティッシュの取出容器が知られている。このような容器としては、たとえば、特許文献２の第１図に示すように、ケース本体に形成した取出孔からウェットティッシュを引き出すタイプや、特許文献３の図３に示すように、蓋材本体の取出口部にゴム部材としてパッキンを嵌着し、パッキンに形成した取出孔からウェットティッシュを引き出すタイプが公知である。また、特許文献４には、取出口が形成されたゴム部材（取出部）を蓋に取り付ける方法として、ゴム部材を蓋の取付口の縁部に嵌め入れる方法が開示されている。
【０００６】
上記ウェットティッシュの取出容器は、いずれも取出孔（又は取出口）の軸方向に向かってロール状体を引き出し、取出孔からミシン目が露出した後、取出孔の軸方向から傾斜した方向に引っ張ることにより、取出孔のエッジとロール状体との間で摩擦抵抗が大きく作用しミシン目に沿ってウェットティッシュを切断する。
【先行技術文献】
【特許文献】
【０００７】
【特許文献１】特開２００７−１８２２５４号公報
【特許文献２】実開平２−８０５４５号公報
【特許文献３】特開２００８−７４４５７号公報
【特許文献４】特開２０１７−１７８３５８号公報
【考案の概要】
【考案が解決しようとする課題】
【０００８】
しかしながら、特許文献２に記載された容器では、ロール状体を取り出す取出孔は、合成樹脂製の容器から構成されており、取出孔径が小さく、また、取出孔を構成する容器が袋体よりも硬いために、袋体を傷つけるおそれがある。また、特許文献３及び４に記載された容器では、取出孔が形成されたゴム部材が蓋に嵌着されているだけである。したがって、ロール状体を引っ張ってミシン目で切断する際に、ロール状体の抵抗によってゴム部材がロール状体を引っ張る方向に容易に弾性変形し、取出孔が変形することになる。取出孔が変形すると、取出孔のエッジが効かず、ミシン目が切断されずに後続の袋体が引き出されてしまうという不都合があった。
【０００９】
そこで、本考案においては、確実に袋体を１枚ずつ切断可能な袋体取出ケースを提供することを目的とする。
【課題を解決するための手段】
【００１０】
上記課題を解決するために、本考案の一態様としての袋体取出ケースは、ミシン目を介して連続する袋体を巻回してなるロール状体を収容するケース本体と、前記ケース本体に設けられた開口部と、前記開口部を覆うように前記ケース本体に取り付けられ、前記ロール状体を取出し可能に保持する保持部材と、前記保持部材を前記ケース本体との間で挟み込んで固定する固定部材とを備え、前記保持部材は、シート状のゴム状弾性体からなり、前記保持部材に、ロール状体を取り出す取出孔と、前記取出孔を囲むように複数の貫通孔とが形成され、前記保持部材と接触するケース本体部分及び固定部材のうち少なくとも一方に、前記貫通孔に挿通されて前記保持部材をケース本体に対して位置決めする複数の突起部が形成されたことを特徴とする。
【００１１】
前記開口部は、ケース本体の頂部に形成され、前記固定部材は、前記ケース本体の頂部内面との間で前記保持部材を挟み込むように配置され、前記ロール状体は、ロール外周端から前記取出孔に導入され、前記固定部材は、前記保持部材を押圧する押圧部と、前記押圧部の下側に設けられ、前記ロール状体が前記取出孔に導入される際の導入角度が取出孔の軸方向から一定の傾斜角度内になるように案内する案内部とを有する構成にしてもよい。
【００１２】
また、前記押圧部は円環状に形成され、前記案内部は、前記押圧部の内周縁から下方に突出形成された筒状部としてもよいし、ケース本体の一部を透明にしてもよい。さらに、保持部材は、シリコーンゴムから構成するようにしてもよい。
【考案の効果】
【００１３】
上記態様によれば、取出孔を形成した保持部材をケース本体に対して位置決めした状態で取り付けたため、ロール状体を取出孔の軸方向に引っ張ることにより、取出孔から取り出すことが可能でありながら、ロール状体を引っ張る力による取出孔の弾性変形を抑制することができる。したがって、ロール状体を、ミシン目が取出孔から露出した時点で取出孔の軸方向から傾斜した方向に引っ張ることにより、取出孔のエッジとロール状体との間の摩擦抵抗を良好に維持することができ、ミシン目に沿って袋体を１枚ずつ確実に切断することが可能となる。
【図面の簡単な説明】
【００１４】
【図１】本考案の袋体取出ケースを示す正面図
【図２】本考案の袋体取出ケースを示す平面図
【図３】図２のＡ−Ａ断面図
【図４】保持部材の平面図
【図５】固定部材の平面図
【図６】図３の一部拡大図
【図７】図６の分解図
【図８】ロール状体の概略図
【図９】図３において案内部の無い固定部材を用いた場合のロール状体の引き出し状態を示す概略図
【図１０】図３においてロール状体の引き出し状態を示す概略図
【考案を実施するための形態】
【００１５】
以下、本考案の実施形態について図面をもとに説明する。図１は本実施形態における袋体取出ケースを示す正面図を、図２は袋体取出ケースの平面図を、図３は図２のＡ−Ａ断面図を、図４は保持部材の平面図を、図５は固定部材の平面図を、図６は図３の一部拡大図を、図７は図６の分解図を、それぞれ示す。
【００１６】
図１〜図７に示すように、袋体取出ケースは、ケース本体１と、ケース本体１に設けられた開口部２と、開口部２を覆うように取り付けられ、ロール状体Ｂを取出し可能に保持する保持部材３とを備える。ケース本体１は縦長の略円錐台形に形成され、ロール状体Ｂはロール軸方向を垂直方向にしてケース本体１内に収容される。
【００１７】
開口部２はケース本体１の頂部の中央に形成される。保持部材３は、シート状のゴム状弾性体によって構成され、ケース本体１の内側から開口部２を覆うように配置される。図４に示すように、保持部材３は、円板状で開口部２の径よりも大径とされ、中央には取出孔４が形成される。取出孔４は、保持部材３をケース本体１に取付けた状態で、開口部２に臨む位置に形成され、ロール状体Ｂは、取出孔４を通過して外部に取り出される。
【００１８】
取出孔４は直孔とされる。なお、取出孔４の形状は、楕円形とすることもできる。取出孔４は、ロール状体Ｂをスムーズに取り出すことが可能な大きさで、かつ、取出孔４から露出したロール状体の先端がケース本体１内に落ち込まずに保持できる程度の摩擦力がロール状体Ｂとの間で作用する大きさに形成される。
【００１９】
図３に示すように、保持部材３は、固定部材５と、ケース本体１の頂部内面との間に挟み込まれて固定される。固定部材５は、図５〜７に示すように、保持部材３を押圧する円環状の押圧部６と、押圧部６の内周縁から下方に突出形成された筒状の案内部７とを有する。押圧部６の内径は開口部とほぼ同径とされる。
【００２０】
保持部材３において、取出孔４の周囲には複数の貫通孔８が形成される。貫通孔８は、保持部材３において、固定部材５と、ケース本体１の頂部内面との間に挟み込まれる領域に形成される。保持部材３と接触するケース本体１の内面部分及び固定部材５の押圧部６のうち少なくとも一方に、貫通孔８に挿通されて保持部材３をケース本体１に対して位置決めする複数の突起部９が形成される。本実施形態では、固定部材５の押圧部６に複数の突起部９が形成されている。
【００２１】
なお、本実施形態では、押圧部６の中心から対称位置に２箇所のネジ孔１１、１１が形成され、ネジ孔１１、１１に対応する位置のケース本体１の内面に雌ねじ部１２、１２が形成される。さらに、保持部材３に形成された複数の貫通孔８のうちの２つが、ネジ孔１１、１１に合致するように形成される。
【００２２】
上記構成において、保持部材３をケース本体１に取り付ける方法を説明する。先ず、固定部材５のネジ孔１１、１１に下側からネジ１３、１３を挿通させ、押圧部６の上面側に突出したネジ１３、１３及び突起部９を貫通孔８に挿通させるようにして保持部材３を押圧部６にセットする。この状態でネジ１３、１３をケース本体１の内面に形成された雌ねじ部１２、１２にねじ止めする。これにより、保持部材３をケース本体１に対して位置決めした状態で取り付けることができる。
【００２３】
保持部材３は、ゴムやエラストマー等のゴム状弾性体からなる。本実施形態では、保持部材３は、シリコーンゴムによって構成される。シリコーンゴムは、ロール状体Ｂをスムーズに引き出し可能であるとともに、ロール状体Ｂを確実に保持可能な摩擦力とを兼ね備えている点で好適である。保持部材３としては、適度な剛性と柔軟性とを備えていることが必要とされるため、ゴムの硬さとしては、ＪＩＳ Ｋ６２５０に規定するタイプＡ硬さの値が、４０〜６０であることが好ましく、４５〜５５であることがより好ましい。また、保持部材の厚みとしては、１ｍｍ〜７ｍｍのものを用いるのが好ましく、２ｍｍ〜６ｍｍのものを用いるのがより好ましい。
【００２４】
ケース本体１は、上部１ａ、中間部１ｂ及び底部１ｃから構成され、それぞれが着脱可能に設けられている。中間部１ｂが透明とされる。これにより、ケース本体１の内部に収容されたロール状体Ｂの状態や残量を視認することができる。底部１ｃには、ロール状体Ｂのロール中心に挿通されてロール状体Ｂを保持する軸部１４が形成される。図８に示すように、ロール状体１は、ミシン目ｂ２を介して連続する袋体ｂ１を巻回して構成されている。ロール状体１は、ロール外周端から取出孔４に導入される。
【００２５】
このようにしてロール状体Ｂをセットしたケース本体１から袋体ｂ１を取り出すには、図３に示すように、取出孔４の軸方向Ｃに向かってロール状体Ｂを引っ張り、取出孔４からミシン目ｂ２が露出した後、取出孔の軸方向Ｃから傾斜した方向（例えば、図３の矢印Ｄで示す方向）に引っ張る。
【００２６】
このとき、保持部材３は、突起部９によってケース本体１に対して位置決めされているため、ロール状体Ｂを引っ張ることによって保持部材３に外力が加わっても保持部材３の撓みを効果的に抑制することができる。したがって、取出孔４の変形を抑制することができ、取出部４のエッジとロール状体Ｂとの間の摩擦抵抗を大きい状態で維持することで、ミシン目ｂ２に沿って袋体ｂ１を切断することが可能となる。
【００２７】
案内部７の機能について説明すると、本実施形態の袋体取出ケースにおいては、ロール状体Ｂは、ロール外周端から取出孔４に導入される。そうすると、ロール状体Ｂの使い初めにおいて、案内部７が無い場合には、図９に示すように、ロール状体Ｂが取出孔４に導入される際の導入角度（軸方向Ｃに対する黒の矢印で示した線分Ｅの角度）が取出孔の軸方向Ｃから大きく傾斜することになる。
【００２８】
この状態で、ロール状体Ｂを取出孔４の軸方向Ｃに引っ張ると、ロール状体Ｂのミシン目ｂ２が取出孔４の下端側のエッジに引っ掛かって切断し、ロール状体Ｂの端部がケース本体１内に残ってしまうおそれが生じる。
【００２９】
一方、本発明では、図１０に示すように、案内部７を設けることで、ロール状体Ｂが取出孔４に導入される際の導入角度（軸方向Ｃに対する黒の矢印で示した線分Ｅの角度）が取出孔の軸方向Ｃから一定角度内になるようにしている。ここで、一定角度とは、取出孔４の下端側のエッジでミシン目ｂ２が切断されない導入角度であり、事前に試験を行なって設定される。これにより、ロール状体Ｂの端部がケース本体１内に残ってしまうことを防止することが可能となる。なお、本実施形態では、筒状に形成された案内部７の下端側の開口径を上端側の開口径よりも小さくなるようにしている。これにより、ロール状体Ｂの導入角度をより小さく抑えることができる。
【００３０】
以上、本考案の実施形態につき説明したが、本考案の範囲はこれに限定されるものではなく、考案の趣旨を逸脱しない範囲で種々の変更を加えて実施することができる。たとえば、本実施形態では、保持部材及び固定部材はケース本体の内面に取り付ける例について説明したが、これに限らず、たとえば、ケース本体の外側に取り付けるようにすることも可能である。また、本実施形態では、突起部９は固定部材５に形成されているが、ケース本体１の内面に形成するようにしてもよい。
【符号の説明】
【００３１】
１              ケース本体
２              開口部
３              保持部材
４              取出孔
５              固定部材
６              押圧部
７              案内部
８              貫通孔
９              突起部
１１            ネジ孔
１２            雌ねじ部
１３            ネジ
１４            軸部
Ｂ                ロール状体
ｂ１              袋体
ｂ２              ミシン目
【図１】
0003214905.tif 000003
【図２】
0003214905.tif 000004
【図３】
0003214905.tif 000005
【図４】
0003214905.tif 000006
【図５】
0003214905.tif 000007
【図６】
0003214905.tif 000008
【図７】
0003214905.tif 000009
【図８】
0003214905.tif 000010
【図９】
0003214905.tif 000011
【図１０】
0003214905.tif 000012
【手続補正書】
【提出日】平成29年12月8日(2017.12.8)
【手続補正１】
【補正対象書類名】実用新案登録請求の範囲
【補正対象項目名】全文
【補正方法】変更
【補正の内容】
【実用新案登録請求の範囲】
【請求項１】
ミシン目を介して連続する袋体を巻回してなるロール状体を収容するケース本体と、前記ケース本体に設けられた開口部と、前記開口部を覆うように前記ケース本体に取り付けられ、前記ロール状体を取出し可能に保持する保持部材と、前記保持部材を前記ケース本体との間で挟み込んで固定する固定部材とを備え、前記保持部材は、シート状のゴム状弾性体からなり、前記保持部材に、ロール状体を取り出す取出孔と、前記取出孔を囲むように複数の貫通孔とが形成され、前記保持部材と接触するケース本体部分及び固定部材のうち少なくとも一方に、前記貫通孔に挿通されて前記保持部材をケース本体に対して位置決めする複数の突起部が形成されたことを特徴とする袋体取出ケース。
【請求項２】
前記開口部が前記ケース本体の頂部に形成され、前記固定部材は、前記ケース本体の頂部内面との間で前記保持部材を挟み込むように配置され、前記ロール状体は、ロール外周端から前記取出孔に導入され、前記固定部材は、前記保持部材を押圧する押圧部と、前記前記押圧部の下側に設けられ、前記ロール状体が前記取出孔に導入される際の導入角度が取出孔の軸方向から一定角度内になるように案内する案内部とを有することを特徴とする請求項１に記載の袋体取出ケース。
【請求項３】
前記押圧部は、円環状に形成され、前記案内部は、前記押圧部の内周縁から下方に突出形成された筒状部であることを特徴とする請求項２に記載の袋体取出ケース。
【請求項４】
前記ケース本体の一部が透明であることを特徴とする請求項１〜３のいずれか一項に記載の袋体取出ケース。
【請求項５】
前記保持部材は、シリコーンゴムからなることを特徴とする請求項１〜４のいずれか一項に記載の袋体取出ケース。